(57)【要約】【課題】  洗い場防水パンを強固な材料で形成することなく、引戸の戸袋を確実に、安定して取り付けることができる構造を提供することを目的とする。【解決手段】  洗い場の排水勾配が形成された発泡樹脂製の床パン４と、床パン４を支持する強固な材料で形成された架台２と、架台２の高さを調整するアジャスタ脚１と、洗い場と脱衣室との間に設置される引戸と、を備えた浴室ユニットにおいて、架台２の周縁部に、引戸をスライドさせて収納可能な戸袋６２を支持する戸袋取付金具８を固定した、浴室ユニットにおける引戸用戸袋の取付構造。【選択図】  図５
2014029067.tif 000002
【特許請求の範囲】
【請求項１】
洗い場の排水勾配が形成された発泡樹脂製の床パンと、
前記床パンを支持する強固な材料で形成された架台と、
前記架台の高さを調整するアジャスタ脚と、
前記洗い場と脱衣室との間に設置される引戸と、を備えた浴室ユニットにおいて、
前記架台の周縁部に、前記引戸をスライドさせて収納可能な戸袋を支持する取付金具を固定したことを特徴とする浴室ユニットにおける引戸用戸袋の取付構造。
【請求項２】
前記架台の周縁部に、前記取付金具を所定の位置に位置決め可能で、前記取付金具を差し込み可能な溝を設けたことを特徴とする請求項１記載の浴室ユニットにおける引戸用戸袋の取付構造。
【請求項３】
前記取付金具は、前記引き戸枠を載置可能な水平支持部と、
前記水平支持部から鉛直下方に折り曲げられた取付部と、を備え、
前記取付部は、前記溝に差し込まれる差込み片と、
前記架台の側面に当接する当接片と、を備え、
前記差込み片と当接片とで前記架台を挟持するように構成されたことを特徴とする請求項２記載の浴室ユニットにおける引戸用戸袋の取付構造。
【発明の詳細な説明】
【技術分野】
【０００１】
本発明は、浴室ユニットの戸袋取付構造に関する発明である。
【背景技術】
【０００２】
従来、浴室ユニットの戸袋を支持する構造として、洗い場防水パンの周縁フランジ部にフック部材を係止し、戸袋を含んだ戸枠を支持固定する固定具をフック部材に係合支持する構造が知られている（例えば、特許文献１参照）。
【先行技術文献】
【特許文献】
【０００３】
【特許文献１】特開２００５−１２７１０１号公報
【発明の概要】
【発明が解決しようとする課題】
【０００４】
しかしながら、特許文献１の場合、フック部材を洗い場防水パンに直接取り付けているため、洗い場防水パン自体に戸枠を支える強度が必要であり、戸枠を確実に、安定して取り付けるためには、フック部材を取り付ける洗い場防水パンを、強固な材料で形成する必要があった。
本発明は、上記問題を解決するために、洗い場防水パンを強固な材料で形成することなく、引戸の戸袋を確実に、安定して取り付けることができる構造を提供することを目的とする。
【課題を解決するための手段】
【０００５】
上記目的を達成するために、本発明は、洗い場の排水勾配が形成された発泡樹脂製の床パンと、前記床パンを支持するために前記床パンよりも強固な材料で形成された架台と、架台の高さを調整するアジャスタ脚と、洗い場と脱衣室との間に設置される引戸と、を備えた浴室構造であって、前記架台の周縁部に、前記引戸をスライドさせて収納可能な戸袋を支持する取付金具を固定したことを特徴としている。
これによれば、戸袋取付金具を強固な架台に取り付けることにより、床パンを強固な材料で形成することなしに、戸袋を確実に、安定して取り付けることができる。
【０００６】
また、前記架台の周縁部に、前記取付金具を所定の位置に位置決め可能で、前記取付金具を差し込み可能な溝を設けてもよい。
これによれば、架台に形成された複数の切り欠きから任意の位置のものを選択し、そこの溝に取付金具を差し込むだけで取付金具が位置決めされるので、従来よりも施工が楽となる。
【０００７】
また、前記取付金具は、前記引き戸枠を載置可能な水平支持部と、前記水平支持部から鉛直下方に折り曲げられた取付部と、を備え、前記取付部は、前記溝に差し込まれる差込み片と、前記架台の側面に当接する当接片と、を備え、前記差込み片と当接片とで前記架台を挟持するように構成してもよい。
これによれば、取付金具の一部で架台を挟持するので、ビス止め等の作業が不要であり、従来より楽に施工することができる。
【発明の効果】
【０００８】
本発明によれば、洗い場防水パンを強固な材料で形成することなく、引戸の戸袋を確実に、安定して取り付けることができる。
【図面の簡単な説明】
【０００９】
【図１】本発明の一実施形態の浴室ユニット斜視図である。
【図２】同上の図１のＡ−Ａ線の拡大断面図である。
【図３】同上の図１のＢ−Ｂ線の拡大断面図である。
【図４】同上の戸袋取付金具が架台に設置された状態を表す斜視図である。
【図５】同上の引戸枠が設置された状態を表す斜視図である。
【図６】戸袋取付金具の斜視図である。
【発明を実施するための形態】
【００１０】
以下、添付図面を参照しながら本発明の実施形態について説明する。説明の理解を容易にするため、各図面において同一の構成要素に対しては可能な限り同一の符号を付して、重複する説明は省略する。
【００１１】
図１に示すように、浴室ユニットは、高さ調整可能なアジャスタ脚１を有する架台２と、架台２により支持される浴槽３と、浴槽３と隣接して配置されて架台２により支持される発泡樹脂製床パン４と、浴槽３および発泡樹脂製床パン４における周縁部の上に立設される複数枚の壁パネル５および引戸用枠体６と、壁パネル５の上端部に取り付けられる天井パネル７と、から構成されている。
【００１２】
発泡樹脂製床パン４は、上面に化粧用の表面材が設けられて、上面に排水口（図示せず）に向けた排水勾配が形成されて、洗い場を構成するものである。発泡樹脂としては、発泡ポリプロピレンや発泡ポリエチレン、発泡ポリスチレンなどを用いることができる。そのため、従来のＦＲＰ製の床パンに比べて高い断熱性を有する上、軽量で、金型費も小さく抑えることができる。
架台２は、床パン４にかかる荷重を支えるために、床パン４よりも強固な材料で形成されており、例えば床パン４を支える床パン支持面と床パン４を支持しない不支持面とが交互に配設されるように波形に成形された鋼板製のデッキプレートを用いることができる。これら浴槽３、発泡樹脂製床パン４、壁パネル５、引戸用枠体６、天井パネル７を水密的且つ気密的に組み立てることにより、建築躯体側に浴室内の水や湿気が漏れださないようになっている。
【００１３】
引戸用枠体６は、引戸障子（図示せず）を具備し、浴室ユニットに出入りするための開口部６１と、引戸障子を開けた際にスライドして収納する戸袋部６２と、を備え、ている。
【００１４】
図２は、図１に示すＡ−Ａ線矢視で引戸用枠体６の戸袋部６２を切断した図である。引戸用枠体２の戸袋部６２の下端は、架台２に取り付けられた戸袋取付金具８で支持されている。
【００１５】
図３は、図１に示すＢ−Ｂ線矢視で引戸用枠体６を切断した図である。引戸用枠体６の開口部６１は、壁パネル５を支持するためのジョイナー９と嵌合させ、強固に固定されている。
【００１６】
以下に、引戸用枠体６の設置手順について、図を参照しつつ説明する。
図４は架台２に戸袋取付金具８を固定した状態を表す斜視図、図５は引戸用枠体２を設置した状態を表す斜視図、図６は戸袋取付金具８を示す斜視図である。
【００１７】
架台２の周縁部は、戸袋取付金具８を差し込み可能な溝２ａを有している。戸袋取付金具８は、戸袋部６２を支持する水平支持部８ｃと、戸袋取付金具８を架台２に取り付けるための取付部と、を備えている。取付部は、この溝２ａに差し込まれるバネ性を有する差し込み片８ａと、架台２の側面に当接する当接片８ｂとを有している。戸袋取付金具８は、好ましくは鋼板のような強固な材料で形成されている。戸袋取付金具８の差し込み片８ａを溝２ａに差し込むことにより、架台２を差し込み片８ａと当接片８ｂとで挟持し、戸袋取付金具８を架台２に固定する。溝２ａは、架台２の周縁部に、等間隔、例えば略１００ｍｍピッチで複数設けられており、引戸の幅や設置される位置が変わっても、それに合わせて戸袋取付金具８の差し込み片８ａを差し込む位置を変えることで対応可能となっている。
架台２に取り付けられた戸袋取付金具８は、引戸用枠体６の下枠６ａを支える水平支持部８ｃが、架台２から外向きに広がるように設置されている。
【００１８】
このような戸袋取付金具８の取り付け方法であれば、変形しやすい発泡樹脂製の床パン４ではなく、床パン４を支持する架台２に戸袋取付金具８を取り付けているので、戸袋部６２を確実に安定して取り付けることができる。また、架台２に設けた溝２ａに戸袋取付金具８を差し込むだけで取付金具８が位置決めされるので、従来よりも組立が簡単となる。また、戸袋取付金具８の一部で架台２を挟持するので、戸袋取付金具８をビス止めする等の作業が不要であり、従来よりも簡単に組み立てることができる。
【００１９】
次に、戸袋部６２を有する引戸用枠体６を設置する。引戸用枠体６の下枠６ａは、戸袋取付金具８の水平支持部８ｃに載置され、鉛直下方に傾かないよう規制される。また鉛直支持部８ｄが、引戸用枠体２の戸袋部６２の当たり止めとなり、戸袋部６２を壁パネル５に平行に設置するのが容易となる。
【００２０】
なお、戸袋取付金具８を架台２に固定する別の方法として、架台２に直接ビス固定する方法も考えられる。この場合は、組立の手間は増えてしまうが、より強固に戸袋取付金具８と架台２を固定することができる。
【符号の説明】
【００２１】
１  …アジャスタ脚
２  …架台
２ａ…溝
３  …浴槽
４  …発泡樹脂製の床パン
５  …壁パネル
６  …引戸用枠体
６１…開口部
６２…戸袋部
６ａ…下枠
７  …天井パネル
８  …戸袋取付金具
８ａ…差し込み片
８ｂ…当接片
８ｃ…水平支持部
８ｄ…鉛直支持部
９  …ジョイナー
【図１】
2014029067.tif 000003
【図２】
2014029067.tif 000004
【図３】
2014029067.tif 000005
【図４】
2014029067.tif 000006
【図５】
2014029067.tif 000007
【図６】
2014029067.tif 000008